(57)【要約】【課題】グループメンバー間のプロフィール情報交換を行うプロフィール情報同期システムに関し，携帯端末の簡易な操作でグループの全メンバー間のプロフィール情報の交換を行うことが可能となる技術を提供する。【解決手段】グループの各メンバーは，それぞれの携帯端末１００を操作する。各携帯端末１００のプロフィール情報同期機能１１０は，それぞれの利用者のプロフィール情報にグループ識別情報Ｘを付して，プロフィール情報同期サーバ２００に登録する。プロフィール情報同期サーバ２００は，プロフィール情報格納部２１０で，グループ識別情報ごとにプロフィール情報を管理する。各携帯端末１００は，グループ識別情報Ｘでプロフィール情報同期サーバ２００にアクセスし，プロフィール情報同期サーバ２００は，指定されたグループ識別情報Ｘで管理されたプロフィール情報を各携帯端末１００に送信する。【選択図】図１
2008234093.tif 000002
【特許請求の範囲】
【請求項１】
複数の携帯端末と，グループごとにプロフィール情報を管理するプロフィール情報同期サーバとを備えるプロフィール情報同期システムであって，
前記プロフィール情報同期サーバは，
前記携帯端末間でプロフィール情報の交換を行うグループを識別するためのグループ識別情報ごとに，前記携帯端末から登録された利用者のプロフィール情報を記憶するためのプロフィール情報格納装置と，
前記携帯端末から前記グループ識別情報とともに前記携帯端末の利用者のプロフィール情報を受信すると，受信されたプロフィール情報を，前記グループ識別情報に対応させて前記プロフィール情報格納装置に格納して管理する手段と，
前記プロフィール情報格納装置内に前記携帯端末の利用者が属するグループのグループ識別情報で管理されたプロフィール情報の全部または前記携帯端末がまだ保有していないプロフィール情報を抽出し，前記携帯端末に送信する手段とを備え，
前記携帯端末は，
前記プロフィール情報同期サーバに，前記グループ識別情報とともに，前記携帯端末の利用者のプロフィール情報を送信して登録する手段と，
前記プロフィール情報同期サーバから，自携帯端末の利用者が属するグループのプロフィール情報を受信し，自らがまだ保有していないプロフィール情報を取得する手段と，
前記取得されたプロフィール情報を記憶する手段とを備える
ことを特徴とするプロフィール情報同期システム。
【請求項２】
請求項１に記載されたプロフィール情報同期システムにおいて，
前記携帯端末の前記プロフィール情報を取得する手段は，所定の時間間隔で自動的に前記プロフィール情報同期サーバにアクセスし，前記グループ識別情報で管理されたプロフィール情報のうち，自らがまだ保有していないプロフィール情報を取得する
ことを特徴とするプロフィール情報同期システム。
【請求項３】
プロフィール情報を記憶する手段を有する複数の携帯端末と，携帯端末間でプロフィール情報の交換を行うグループを識別するためのグループ識別情報ごとに，携帯端末から登録された利用者のプロフィール情報を記憶するためのプロフィール情報格納装置を有するプロフィール情報同期サーバとを備えるプロフィール情報同期システムにおけるプロフィール情報同期方法であって，
前記携帯端末が，前記プロフィール情報同期サーバに，前記グループ識別情報とともに，前記携帯端末の利用者のプロフィール情報を送信して登録する過程と，
前記プロフィール情報同期サーバが，前記携帯端末から前記グループ識別情報とともに前記携帯端末の利用者のプロフィール情報を受信すると，受信されたプロフィール情報を，前記グループ識別情報に対応させて前記プロフィール情報格納装置に格納して管理する過程と，
前記プロフィール情報同期サーバが，前記プロフィール情報格納装置内に前記携帯端末の利用者が属するグループのグループ識別情報で管理されたプロフィール情報の全部または前記携帯端末がまだ保有していないプロフィール情報を抽出し，前記携帯端末に送信する過程と，
前記携帯端末が，前記プロフィール情報同期サーバから，自携帯端末の利用者が属するグループのプロフィール情報を受信し，自らがまだ保有していないプロフィール情報を取得する過程と，
前記携帯端末が，前記取得されたプロフィール情報を記憶する過程とを有する
ことを特徴とするプロフィール情報同期方法。
【請求項４】
請求項３に記載されたプロフィール情報同期方法において，
前記携帯端末が前記プロフィール情報を取得する過程では，所定の時間間隔で自動的に前記プロフィール情報同期サーバにアクセスし，前記グループ識別情報で管理されたプロフィール情報のうち，自らがまだ保有していないプロフィール情報を取得する
ことを特徴とするプロフィール情報同期方法。
【請求項５】
複数の携帯端末と，携帯端末間でプロフィール情報の交換を行うグループを識別するためのグループ識別情報ごとに，携帯端末から登録された利用者のプロフィール情報を記憶するためのプロフィール情報格納装置を有するプロフィール情報同期サーバとを備えるプロフィール情報同期システムにおける携帯端末であって，
前記プロフィール情報同期サーバに，前記グループ識別情報とともに受信された前記携帯端末の利用者のプロフィール情報を，前記グループ識別情報に対応させて前記プロフィール情報格納装置に格納させて管理させるために，前記プロフィール情報同期サーバに，前記グループ識別情報とともに，前記携帯端末の利用者のプロフィール情報を送信して登録する手段と，
前記プロフィール情報同期サーバから，自携帯端末の利用者が属するグループのプロフィール情報を受信し，自らがまだ保有していないプロフィール情報を取得する手段と，
前記取得されたプロフィール情報を記憶する手段とを備える
ことを特徴とする携帯端末。
【請求項６】
請求項５に記載された携帯端末において，
前記携帯端末の前記プロフィール情報を取得する手段は，所定の時間間隔で自動的に前記プロフィール情報同期サーバにアクセスし，前記グループ識別情報で管理されたプロフィール情報のうち，自らがまだ保有していないプロフィール情報を取得する
ことを特徴とする携帯端末。
【請求項７】
プロフィール情報を記憶する手段を有する複数の携帯端末と，グループごとにプロフィール情報を管理するプロフィール情報同期サーバとを備えるプロフィール情報同期システムにおけるプロフィール情報同期サーバであって，
前記携帯端末間でプロフィール情報の交換を行うグループを識別するためのグループ識別情報ごとに，前記携帯端末から登録された利用者のプロフィール情報を記憶するためのプロフィール情報格納装置と，
前記携帯端末から前記グループ識別情報とともに前記携帯端末の利用者のプロフィール情報を受信すると，受信されたプロフィール情報を，前記グループ識別情報に対応させて前記プロフィール情報格納装置に格納して管理する手段と，
前記プロフィール情報格納装置内に前記携帯端末の利用者が属するグループのグループ識別情報で管理されたプロフィール情報の全部または前記携帯端末がまだ保有していないプロフィール情報を抽出し，前記携帯端末に送信する手段とを備え，
前記携帯端末に，前記プロフィール情報格納装置において前記グループ識別情報で管理されたプロフィール情報のうち，前記携帯端末がまだ保有していないプロフィール情報を取得させ，記憶させる
ことを特徴とするプロフィール情報同期サーバ。
【発明の詳細な説明】
【技術分野】
【０００１】
本発明は，携帯端末で互いのプロフィール情報を交換する技術に関するものであり，特に，グループに所属するすべてのメンバーが，グループに所属するすべてのメンバーのプロフィール情報を容易に携帯端末で取得することが可能となるプロフィール情報同期システム，プロフィール情報同期方法，携帯端末およびプロフィール情報同期サーバに関するものである。
【背景技術】
【０００２】
何らかの集まりがあった場合に，その参加者同士で互いのプロフィール情報を交換することがある。ここで，プロフィール情報とは，氏名，電話番号，メールアドレス，所属会社，所属部署，特技等の個人情報をいう。
【０００３】
例えば，あるプロジェクトが立ち上げられ，そのためにプロジェクトチームが結成されたときに，メンバー同士が互いに初対面という場合がある。このとき，結成されたプロジェクトチームのメンバー同士で，互いの連絡先などを交換する必要がある。
【０００４】
メンバー同士で互いに連絡先などを交換する最も一般的な手段は，名刺交換である。名刺には，氏名，電話番号，メールアドレス，所属などのプロフィール情報が記載されている。このとき，各メンバーは，他のメンバーからもらった名刺に記載された氏名，電話番号，メールアドレスなどを，手入力で携帯電話に登録する。
【０００５】
また，プロジェクトチームのメンバー全員の氏名，電話番号，メールアドレス，所属などのプロフィール情報が記載された名簿を作成し，それを各メンバーに配るという手段もある。この場合にも，各メンバーは，名簿に記載された氏名，電話番号，メールアドレスなどを，手入力で携帯電話に登録する。
【０００６】
しかし，これらの場合には，１つ１つ手入力で登録を行わなければならないため，非常に手間がかかり，また入力ミスも多くなるという問題がある。名刺交換の場合には，集まった名刺の管理の問題もある。また，個人情報の取り扱いに関する問題があるため，今日では名簿を作成しないことも多い。
【０００７】
近年，携帯電話の１対１の対面赤外線通信によって，互いの電話番号やメールアドレスなどのプロフィール情報を交換する手段も用いられるようになった。この場合には，手入力で登録する必要がないため，手間も少なく，入力ミスもない。
【０００８】
なお，本発明に先行する技術が記載された文献としては，例えば特許文献１などがある。特許文献１には，個人情報交換支援端末をファイルサーバのようにして使い，各個人端末からファイルサーバに情報を登録して全端末から参照可能にした後，情報の交換を希望する個人と個人との関係を記録して，その情報に基づいて情報をメールで転送する技術が記載されている。
【特許文献１】特開２００６−５９２３９号公報
【発明の開示】
【発明が解決しようとする課題】
【０００９】
上述の対面赤外線通信は，名刺交換などの場合とは異なり，携帯電話に連絡先を登録する手間が省けるというメリットがある。しかし，チーム内のすべてのメンバー間で対面赤外線通信によるプロフィール情報の交換を行う場合には，それなりの手間と時間とを必要とする。Ｎ人のチームで互いにプロフィール情報の交換を行うためには，Ｎ×（Ｎ−１）回の対面赤外線通信が必要となるため，チームの人数が多くなると，膨大な手間と時間とを要することとなる。
【００１０】
また，チーム内のすべてのメンバー同士でプロフィール情報の交換を行いたいが，個別にプロフィール情報の交換を行うと，すべてのメンバーとプロフィール情報の交換を行う時間がなかったり，プロフィール情報の交換を忘れてしまった人がいたりするため，それぞれが統一されていないばらばらのプロフィール情報を保有することになってしまう。
【００１１】
なお，上記の特許文献１の技術では，携帯端末でプロフィール情報の交換を行うことが可能であるが，情報選択，情報入手依頼などの利用者の端末操作が多くなってしまうという問題がある。また，上記の特許文献１の技術では，グループの全メンバーの携帯端末が保有するグループメンバーのプロフィール情報を同期させることは考慮されていない。そのため，上記の特許文献１の技術でグループの全メンバーの携帯端末が保有するグループメンバーのプロフィール情報を同期させるためには，すべてのグループメンバーがすべてのグループメンバーをプロフィール情報の交換相手として指定するという作業を行う必要があり，容易に実現できるとはいえない。
【００１２】
本発明は，上記の問題点の解決を図り，グループのメンバー同士のプロフィール情報の交換のための携帯端末の操作を簡易化し，さらにグループの全メンバーの携帯端末が保有するグループメンバーのプロフィール情報を同期させることが可能となる技術を提供することを目的とする。
【課題を解決するための手段】
【００１３】
本発明は，上記の課題を解決するため，グループメンバーが携帯端末からプロフィール情報同期サーバにプロフィール情報を登録する場合には，グループ内で共通のグループ識別情報を用い，プロフィール情報同期サーバでは，グループ識別情報ごとにプロフィール情報を格納して管理し，グループメンバーの携帯端末は，所属するグループのグループ識別情報で，プロフィール情報同期サーバで管理されたプロフィール情報を取得することを特徴とする。
【００１４】
具体的には，本発明は，複数の携帯端末と，グループごとにプロフィール情報を管理するプロフィール情報同期サーバとを備えるプロフィール情報同期システムであって，プロフィール情報同期サーバは，携帯端末間でプロフィール情報の交換を行うグループを識別するためのグループ識別情報ごとに，携帯端末から登録された利用者のプロフィール情報を記憶するためのプロフィール情報格納装置と，携帯端末からグループ識別情報とともに携帯端末の利用者のプロフィール情報を受信すると，受信されたプロフィール情報を，グループ識別情報に対応させてプロフィール情報格納装置に格納して管理する手段と，プロフィール情報格納装置内に携帯端末の利用者が属するグループのグループ識別情報で管理されたプロフィール情報の全部または携帯端末がまだ保有していないプロフィール情報を抽出し，携帯端末に送信する手段とを備え，携帯端末は，プロフィール情報同期サーバに，グループ識別情報とともに，携帯端末の利用者のプロフィール情報を送信して登録する手段と，プロフィール情報同期サーバから，自携帯端末の利用者が属するグループのプロフィール情報を受信し，自らがまだ保有していないプロフィール情報を取得する手段と，取得されたプロフィール情報を記憶する手段とを備えることを特徴とする。
【００１５】
これにより，共通のグループ識別情報でプロフィール情報同期サーバに登録されたプロフィール情報を，グループの全メンバーが簡単に取得することができるようになり，また，グループの全メンバーの携帯端末が保有するグループメンバーのプロフィール情報を同期させることが可能となる。
【００１６】
また，本発明は，上記のプロフィール情報同期システムにおいて，携帯端末のプロフィール情報を取得する手段は，所定の時間間隔で自動的にプロフィール情報同期サーバにアクセスし，グループ識別情報で管理されたプロフィール情報のうち，自らがまだ保有していないプロフィール情報を取得することを特徴とする。
【００１７】
これにより，グループの代表者はグループ登録の操作と自プロフィール情報登録の操作を，他のグループメンバーは自プロフィール情報登録の操作を行うだけで，自動的にグループの全メンバーのプロフィール情報を携帯端末に取得することができる。
【発明の効果】
【００１８】
本発明によって，グループの全メンバーが共通のグループ識別情報を用いて携帯端末からプロフィール情報同期サーバに自分のプロフィール情報を登録するという簡単な操作だけで，グループの全メンバーのプロフィール情報を容易に携帯端末で取得することができるようになる。また，さらにグループの全メンバーの携帯端末が保有するグループメンバーのプロフィール情報を同期させることができるようになる。
【発明を実施するための最良の形態】
【００１９】
以下，本発明の実施の形態について，図を用いて説明する。
【００２０】
図１は，本発明の概念を説明する図である。３人のメンバーで構成されるグループが，各携帯端末１００（ａ，ｂ，ｃ）を用いて，互いにプロフィール情報の交換を行う例を説明する。各携帯端末１００には，プロフィール情報交換のための機能であるプロフィール情報同期機能１１０（ａ，ｂ，ｃ）が備えられている。プロフィール情報同期サーバ２００は，プロフィール情報の交換を管理するサーバであり，登録されたプロフィール情報を格納するプロフィール情報格納部２１０を備える。
【００２１】
まず，グループの代表者が，グループを一意に識別するための識別情報であるグループ識別情報を取得する（図示省略）。ここでは，グループ識別情報としてＸが取得されたものとする。グループの代表者は，取得されたグループ識別情報Ｘを他のメンバーに通達する。
【００２２】
グループの各メンバーは，それぞれの携帯端末１００でプロフィール情報同期機能１１０を起動し，自プロフィール情報の登録を行う。すなわち，携帯端末１００ａはプロフィール情報ａを，携帯端末１００ｂはプロフィール情報ｂを，携帯端末１００ｃはプロフィール情報ｃをプロフィール情報同期サーバ２００に送信する。このとき，プロフィール情報には，グループ識別情報Ｘが付加される。
【００２３】
プロフィール情報同期サーバ２００では，グループ識別情報ごとに登録されたプロフィール情報を管理する。すなわち，グループ識別情報Ｘのプロフィール情報として，プロフィール情報ａ，プロフィール情報ｂ，プロフィール情報ｃがプロフィール情報格納部２１０に格納される。
【００２４】
各携帯端末１００が登録されたプロフィール情報を取得する場合には，グループ識別情報でプロフィール情報同期サーバ２００にアクセスする。すなわち，各携帯端末１００がグループ識別情報Ｘでプロフィール情報同期サーバ２００にアクセスすると，プロフィール情報同期サーバ２００は，グループ識別情報Ｘで登録されたプロフィール情報ａ，プロフィール情報ｂ，プロフィール情報ｃをプロフィール情報格納部２１０から抽出し，各携帯端末１００に送信する。
【００２５】
これにより，グループ識別情報を用いて自プロフィール情報をプロフィール情報同期サーバ２００に登録し，グループ識別情報を用いてプロフィール情報同期サーバ２００からグループメンバーのプロフィール情報を取得するだけで，グループのメンバーが互いに１対１でプロフィール情報の交換を行わなくても，全グループメンバーのプロフィール情報の交換を行うことができる。グループごとにプロフィール情報の登録，取得が同期されているので，グループの全メンバーが同じプロフィール情報を保有することになり，特定のメンバー同士のプロフィール情報の交換忘れなどもなくなる。
【００２６】
なお，グループを解散する場合には，グループの代表者がプロフィール情報同期サーバ２００に一括削除コマンドを送ることにより，プロフィール情報同期サーバ２００に登録されたグループのプロフィール情報を一括削除することができる。
【００２７】
図２は，本発明の実施の形態によるプロフィール情報同期システムの構成例を示す図である。図２に示すプロフィール情報同期システムにおいて，各携帯端末１００とプロフィール情報同期サーバ２００とは，通信網３００を介して通信可能であるものとする。
【００２８】
携帯端末１００には，プロフィール情報同期機能１１０が備えられている。プロフィール情報同期機能１１０は，アプリケーションソフトウェアなどによって実現され，携帯端末１００のメニュー画面などから起動することができる。
【００２９】
携帯端末１００のプロフィール情報同期機能は，グループ登録処理部１１１，プロフィール情報登録処理部１１２，プロフィール情報取得処理部１１３，プロフィール情報記録部１１４を備える。
【００３０】
グループ登録処理部１１１は，プロフィール情報同期サーバ２００に対して新規グループ登録の手続きを行い，グループ識別ＩＤを取得する手段である。グループ識別ＩＤは，上記のグループ識別情報に相当する。グループ登録処理部１１１は，新規のグループ登録要求をプロフィール情報同期サーバ２００に送信し，プロフィール情報同期サーバ２００から割り当てられたグループ識別ＩＤを受信する。携帯端末１００の利用者に希望するグループ識別ＩＤを入力させ，入力されたグループ識別ＩＤの使用許可をプロフィール情報同期サーバ２００に求めるようにしてもよい。
【００３１】
プロフィール情報登録処理部１１２は，自プロフィール情報をプロフィール情報同期サーバ２００に登録する手段である。自プロフィール情報とは，その携帯端末１００の利用者のプロフィール情報である。プロフィール情報登録処理部１１２は，携帯端末１００の利用者にグループ識別ＩＤを入力させ，入力されたグループ識別ＩＤを添えて，自プロフィール情報をプロフィール情報同期サーバ２００に送信する。自プロフィール情報は，あらかじめ携帯端末１００に保持されていてもよいし，プロフィール情報登録処理のときに利用者に入力させるようにしてもよい。
【００３２】
プロフィール情報取得処理部１１３は，プロフィール情報同期サーバ２００に登録されているプロフィール情報を取得する手段である。プロフィール情報取得処理部１１３は，グループ識別ＩＤでプロフィール情報同期サーバ２００にアクセスし，そのグループ識別ＩＤでプロフィール情報同期サーバ２００に登録されたプロフィール情報のうち，まだ自携帯端末１００に取得されていないプロフィール情報を取得する。
【００３３】
図３は，プロフィール情報記録部の例を説明する図である。プロフィール情報記録部１１４は，プロフィール情報取得処理部１１３によってプロフィール情報同期サーバ２００から取得されたプロフィール情報を記録する。プロフィール情報記録部１１４に記録されたプロフィール情報は，グループ識別ＩＤで管理されている。
【００３４】
図３には，プロフィール情報記録部１１４に，グループ識別ＩＤ“１２３４５６１１”のプロフィール情報１２０が記録された例が示されている。図３に示すグループ識別ＩＤ“１２３４５６１１”のプロフィール情報１２０は，番号，氏名，電話番号，メールアドレス，所属等の情報を持つ。ここでは，グループ識別ＩＤ“１２３４５６１１”のプロフィール情報１２０として，３件のプロフィール情報が記録されている。
【００３５】
例えば，携帯端末１００が携帯電話などである場合に，プロフィール情報記録部１１４に記録されたプロフィール情報は携帯電話の電話帳機能のように閲覧したり，電話番号やメールアドレスを利用することができる。すなわち，プロフィール情報記録部１１４に記録されたプロフィール情報から電話番号やメールアドレスを呼び出し，電話をかけたり，メールを送信したりすることができる。
【００３６】
また，プロフィール情報記録部１１４が電話帳機能の一部であってもよい。すなわち，取得されたプロフィール情報にグループ識別ＩＤを付けて，携帯電話などの電話帳機能に登録するようにしてもよい。
【００３７】
図２において，プロフィール情報同期サーバ２００は，グループ定義処理部２０１，プロフィール情報格納処理部２０２，プロフィール情報同期処理部２０３，プロフィール情報管理テーブル２０４，プロフィール情報格納部２１０を備える。
【００３８】
グループ定義処理部２０１は，携帯端末１００からの新規のグループ登録要求により，グループを定義する手段である。グループ定義処理部２０１は，携帯端末１００からグループ登録要求を受けると，そのグループに割り当てるグループ識別ＩＤを生成／定義して携帯端末１００に送信し，プロフィール情報格納部２１０にそのグループのプロフィール情報を格納する領域を確保する。携帯端末１００から希望するグループ識別ＩＤが送られてきた場合には，そのグループ識別ＩＤがすでに使用されているか等の判定を行い，そのグループ識別ＩＤが使用可能である場合には，そのグループ識別ＩＤを定義する。
【００３９】
プロフィール情報格納処理部２０２は，携帯端末１００から送られてきたプロフィール情報を，プロフィール情報格納部２１０に格納する手段である。プロフィール情報格納処理部２０２は，プロフィール情報と共に送られてきたグループ識別ＩＤでプロフィール情報管理テーブル２０４を検索してプロフィール情報格納部２１０上の格納領域を特定し，特定されたプロフィール情報格納部２１０上の格納領域に，送られてきたプロフィール情報を格納する。
【００４０】
プロフィール情報同期処理部２０３は，プロフィール情報格納部２１０に格納されたプロフィール情報を，携帯端末１００に送信する手段である。プロフィール情報同期処理部２０３は，携帯端末１００からグループ識別ＩＤによる照会を受けると，そのグループ識別ＩＤでプロフィール情報管理テーブル２０４を検索し，プロフィール情報格納部２１０上の該当格納領域を特定する。特定されたプロフィール情報格納部２１０の格納領域に格納されたプロフィール情報のうち，まだグループ識別ＩＤによる照会を行った携帯端末１００が保持していないプロフィール情報を抽出し，抽出されたプロフィール情報をその携帯端末１００に送信する。
【００４１】
図４は，プロフィール情報管理テーブルおよびプロフィール情報格納部の例を説明する図である。プロフィール情報管理テーブル２０４は，プロフィール情報格納部２１０へのプロフィール情報の格納状況を管理するテーブルである。プロフィール情報格納部２１０は，登録されたプロフィール情報を格納する手段である。
【００４２】
プロフィール情報管理テーブル２０４は，登録グループ数，グループごとのグループ識別ＩＤとプロフィール情報格納領域アドレスとの対応情報を持つ。登録グループ数は，プロフィール情報同期サーバ２００に登録されたグループの数である。グループ識別ＩＤは，そのグループに定義された識別情報であり，プロフィール情報格納領域アドレスは，そのグループのプロフィール情報が格納されるプロフィール情報格納部２１０上のアドレスである。プロフィール情報管理テーブル２０４には，登録グループ数分のグループ識別ＩＤとプロフィール情報格納領域アドレスとの対応情報が管理されている。
【００４３】
プロフィール情報格納部２１０では，グループごとに，プロフィール情報格納領域２２０が用意されている。プロフィール情報格納領域２２０には，プロフィール情報登録数，各プロフィール情報が格納される。プロフィール情報登録数は，そのグループのプロフィール情報の登録数である。そのプロフィール情報格納領域２２０には，プロフィール情報登録数分のプロフィール情報が格納されている。
【００４４】
図４に示すように，例えば，グループＡのグループ識別ＩＤが与えられると，プロフィール情報管理テーブル２０４で，グループＡのプロフィール情報格納領域アドレスを取得することができる。取得されたグループＡのプロフィール情報格納領域アドレスでプロフィール情報格納部２１０のグループＡのプロフィール情報格納領域２２０にアクセスすることにより，グループＡのプロフィール情報の格納や，グループＡのプロフィール情報の抽出を行うことができる。
【００４５】
図５は，携帯端末によるグループ登録処理フローチャートである。グループの代表者が，自分の携帯端末１００のメニュー画面からプロフィール情報同期機能１１０を選択すると，携帯端末１００は，プロフィール情報同期機能１１０を起動する（ステップＳ１０）。さらに，代表者によるプロフィール情報同期メニューからのグループ登録の選択を受け付けると（ステップＳ１１），グループ登録要求をプロフィール情報同期サーバ２００に送信する（ステップＳ１２）。
【００４６】
プロフィール情報同期サーバ２００からグループ識別ＩＤを受信すると（ステップＳ１３），その受信されたグループ識別ＩＤを携帯端末１００の画面に表示する（ステップＳ１４）。グループの代表者は，携帯端末１００の画面に表示されたグループ識別ＩＤを，他のグループメンバーに通達する。
【００４７】
なお，グループの代表者に希望するグループ識別ＩＤを入力させるようにしてもよい。この場合には，ステップＳ１１でグループ登録の選択を受け付けたときに，携帯端末１００の画面に希望するグループ識別ＩＤの入力画面が表示される。入力されたグループ識別ＩＤは，グループ登録要求と共にプロフィール情報同期サーバ２００に送られ，そのグループ識別ＩＤの使用可否が，携帯端末１００に送り返されてくる。
【００４８】
図６は，プロフィール情報同期サーバによるグループ定義処理フローチャートである。プロフィール情報同期サーバ２００は，携帯端末１００からグループ登録要求を受信すると（ステップＳ２０），グループ識別ＩＤを定義する（ステップＳ２１）。グループ識別ＩＤの定義では，他のグループに使用されていないＩＤを生成し，グループ識別ＩＤとする。携帯端末１００から希望するグループ識別ＩＤが送られてきた場合には，そのグループ識別ＩＤがすでに使用されているグループ識別ＩＤか否か等の確認を行い，問題がなければそのグループ識別ＩＤを定義する。
【００４９】
プロフィール情報格納部２１０の未使用領域をプロフィール情報格納領域２２０として確保し（ステップ２２），確保されたプロフィール情報格納領域２２０のアドレスを定義されたグループ識別ＩＤに対応付けて，プロフィール情報管理テーブル２０４に登録する（ステップＳ２３）。このとき，プロフィール情報管理テーブルの２０４の登録グループ数をインクリメントする。グループ登録要求を送ってきた携帯端末１００に，定義されたグループ識別ＩＤを送信する（ステップＳ２４）。
【００５０】
図７は，携帯端末によるプロフィール情報登録処理フローチャートである。グループのメンバーが，自分の携帯端末１００のメニュー画面からプロフィール情報同期機能１１０を選択すると，携帯端末１００は，プロフィール情報同期機能１１０を起動する（ステップＳ３０）。さらに，メンバーによるプロフィール情報同期メニューからのプロフィール情報登録の選択を受け付けると（ステップＳ３１），グループ識別ＩＤ入力画面を携帯端末１００の画面に表示する（ステップＳ３２）。
【００５１】
メンバーによるグループ識別ＩＤの入力を受け付けると（ステップＳ３３），あらかじめ携帯端末１００に保持された自プロフィール情報を，入力されたグループ識別ＩＤとともに，プロフィール情報同期サーバ２００に送信する（ステップＳ３４）。なお，自プロフィール情報をあらかじめ携帯端末１００に保持しておくのではなく，グループ識別ＩＤと同様に，専用の入力画面から入力するようにしてもよい。
【００５２】
図８は，プロフィール情報同期サーバによるプロフィール情報格納処理フローチャートである。プロフィール情報同期サーバ２００は，携帯端末１００からプロフィール情報を受信すると（ステップＳ４０），受信されたプロフィール情報に付加されたグループ識別ＩＤでプロフィール情報管理テーブル２０４を参照し，プロフィール情報格納部２１０の該当プロフィール情報格納領域２２０のアドレスを取得する（ステップＳ４１）。
【００５３】
受信されたプロフィール情報を，プロフィール情報格納部２１０の該当プロフィール情報格納領域２２０に格納し（ステップＳ４２），そのグループのプロフィール情報登録数をインクリメントする（ステップＳ４３）。ここでは，プロフィール情報登録が行われた順番で，該当プロフィール情報格納領域２２０に，プロフィール情報が格納される。
【００５４】
図９は，携帯端末によるプロフィール情報取得処理フローチャートである。ここでは，図７に示すようなプロフィール情報登録処理後，自動的に図９に示すプロフィール情報取得処理が実行される。プロフィール情報登録処理により，自プロフィール情報がプロフィール情報同期サーバ２００に登録されると，携帯端末１００は，プロフィール情報同期待ちタイマを設定する（ステップＳ５０）。ここでは，１０分でプロフィール情報同期待ちタイマがタイムアウトになる，すなわち１０分間隔でプロフィール情報の取得動作を行うものとする。
【００５５】
プロフィール情報同期待ちタイマがタイムアウトになると（ステップＳ５１），プロフィール情報登録数参照要求をプロフィール情報同期サーバ２００に送信する（ステップＳ５２）。プロフィール情報登録数参照要求にはグループ識別ＩＤが付加されている。プロフィール情報登録数参照要求は，付加されたグループ識別ＩＤでプロフィール情報同期サーバ２００に登録されたプロフィール情報の数を取得するための要求である。
【００５６】
プロフィール情報同期サーバ２００からプロフィール情報登録数を取得すると（ステップＳ５３），取得されたプロフィール情報登録数と，プロフィール情報記録部１１４に記録された該当グループ識別ＩＤのプロフィール情報の数とを比較し（ステップＳ５４），その差分を算出する。双方の数が同じであれば，すなわち差分がなければ（ステップＳ５５），ステップＳ５０に戻り，再びプロフィール情報同期待ち状態となる。
【００５７】
プロフィール情報登録数よりプロフィール情報記録数が少なければ，すなわち差分があれば（ステップＳ５５），その差分を示す情報とグループ識別ＩＤとを含むプロフィール情報取得要求をプロフィール情報同期サーバ２００に送信する（ステップＳ５６）。
【００５８】
プロフィール情報同期サーバ２００からプロフィール情報を取得する（ステップＳ５７）。プロフィール情報登録数とプロフィール情報記録数との差分の数だけ，該当グループ識別ＩＤの新たなプロフィール情報が取得される。取得されたプロフィール情報をプロフィール情報記録部１１４に記録し（ステップＳ５８），ステップＳ５０に戻り，再びプロフィール情報同期待ち状態となる。
【００５９】
図１０は，プロフィール情報同期サーバによるプロフィール情報同期処理フローチャートである。プロフィール情報同期サーバ２００は，携帯端末１００からプロフィール情報登録数参照要求を受信すると（ステップＳ６０），プロフィール情報格納部２１０から，該当グループ識別ＩＤのプロフィール情報登録数を抽出する（ステップＳ６１）。具体的には，受信されたプロフィール情報登録数参照要求に付加されたグループ識別ＩＤでプロフィール情報管理テーブル２０４を参照し，該当プロフィール情報格納領域２２０のアドレスを取得し，取得されたアドレスでプロフィール情報格納部２１０にアクセスし，該当グループ識別ＩＤのプロフィール情報登録数を抽出する。取得されたプロフィール情報登録数を，プロフィール情報登録数参照要求を送ってきた携帯端末１００に送信する（ステップＳ６２）。
【００６０】
また，プロフィール情報同期サーバ２００は，携帯端末１００からプロフィール情報取得要求を受信すると（ステップＳ６３），プロフィール情報格納部２１０から，該当グループ識別ＩＤのプロフィール情報を抽出する（ステップＳ６４）。具体的には，受信されたプロフィール情報取得要求に付加されたグループ識別ＩＤでプロフィール情報管理テーブル２０４を参照し，該当プロフィール情報格納領域２２０のアドレスを取得し，取得されたアドレスでプロフィール情報格納部２１０にアクセスし，該当グループ識別ＩＤのプロフィール情報を，新しい方から順に，受信されたプロフィール情報取得要求に付加された差分を示す情報で指定された数だけ抽出する。取得されたプロフィール情報を，プロフィール情報取得要求を送ってきた携帯端末１００に送信する（ステップＳ６５）。
【００６１】
なお，図９，図１０に示すフローチャートでは，携帯端末１００側で差分を算出しているが，プロフィール情報同期サーバ２００側で差分を算出するようにしてもよい。例えば，携帯端末１００側から，グループ識別ＩＤとプロフィール情報記録数とを含むプロフィール情報取得要求をプロフィール情報同期サーバ２００に送り，プロフィール情報同期サーバ２００側でプロフィール情報登録数との差分を算出し，得られた差分の数だけ新しいプロフィール情報を携帯端末１００に送信すればよい。
【００６２】
また，図９，図１０に示すフローチャートでは，携帯端末１００のプロフィール情報記録数と，プロフィール情報同期サーバ２００のプロフィール情報登録数との差分から，携帯端末１００に送るプロフィール情報を特定し，送信しているが，グループ識別ＩＤを用いて，携帯端末１００に記録されたプロフィール情報と，プロフィール情報同期サーバ２００に登録されたプロフィール情報とを同期させることができれば，どのようなやり方でもよい。例えば，プロフィール情報同期サーバ２００に登録された該当グループ識別ＩＤのプロフィール情報をすべて携帯端末１００に送信し，携帯端末１００側で未記録のプロフィール情報を抽出するようにしてもよい。
【００６３】
また，図９に示すフローチャートでは，携帯端末１００が自動的にプロフィール情報同期サーバ２００からプロフィール情報を取得しているが，利用者の操作により携帯端末１００がプロフィール情報同期サーバ２００にアクセスし，プロフィール情報同期サーバ２００からプロフィール情報を取得するようにしてもよい。
【００６４】
以下，図１１〜図１４を用いて，プロフィール情報同期システムの具体的な例を説明する。以下の例では，あるプロジェクトチームが結成され，そのプロジェクトチームのメンバーが互いのプロフィール情報を交換する。
【００６５】
図１１は，具体的な例を説明する図（１）である。まず，プロジェクトチームの代表者Ａさんが自分の携帯端末１００Ａのメニューからプロフィール情報同期機能を選択すると，携帯端末１００Ａは，プロフィール情報同期機能を起動する（ステップＳ１０１）。さらに，代表者Ａさんがプロフィール情報同期機能のメニューから新規のグループ登録を選択すると，携帯端末１００Ａは，プロフィール情報同期サーバ２００にグループ登録要求を送信する（ステップＳ１０２）。
【００６６】
プロフィール情報同期サーバ２００は，グループ登録要求を受けると，プロジェクトチームに割り当てるグループ識別ＩＤを定義する（ステップＳ１０３）。ここでは，グループ識別ＩＤとして“ｘｘｘｘｘｘ”が定義されたものとする。また，プロフィール情報格納部２１０にそのプロジェクトチームのプロフィール情報格納領域２２０を確保する（ステップＳ１０４）。プロジェクトチームに割り当てられたグループ識別ＩＤ“ｘｘｘｘｘｘ”を，グループ識別ＩＤ通知により，代表者Ａさんの携帯端末１００Ａに送信する（ステップＳ１０５）。
【００６７】
代表者Ａさんの携帯端末１００Ａは，プロフィール情報同期サーバ２００からグループ識別ＩＤ“ｘｘｘｘｘｘ”を受けると，それを画面に表示する（ステップＳ１０６）。代表者Ａさんは，プロジェクトチームのメンバーにグループ識別ＩＤ“ｘｘｘｘｘｘ”を伝える。
【００６８】
図１２は，具体的な例を説明する図（２）である。代表者Ａさんが，プロフィール情報同期サーバ２００へのプロフィール情報の登録を行う。代表者Ａさんが携帯端末１００Ａでプロフィール情報同期機能のメニューからプロフィール情報登録を選択し，グループ識別ＩＤ“ｘｘｘｘｘｘ”を入力すると，携帯端末１００Ａはその入力を受け付け（ステップＳ１１１），あらかじめ保持された代表者Ａさんのプロフィール情報に入力されたグループ識別ＩＤ“ｘｘｘｘｘｘ”を付加したプロフィール情報登録通知を，プロフィール情報同期サーバ２００に送信する（ステップＳ１１２）。
【００６９】
プロフィール情報同期サーバ２００は，受信されたプロフィール情報登録通知のグループ識別ＩＤ“ｘｘｘｘｘｘ”で特定されたプロフィール情報格納部２１０のプロフィール情報格納領域２２０に，受信されたプロフィール情報登録通知のプロフィール情報を格納する（ステップＳ１１３）。携帯端末１００Ａに，プロフィール情報登録完了通知を送信する（ステップＳ１１４）。
【００７０】
携帯端末１００Ａは，プロフィール情報登録完了通知を受信すると，プロフィール情報同期サーバ２００へのプロフィール情報の登録が完了した旨を画面に表示する（ステップＳ１１５）。その後，プロフィール情報同期待ちタイマを設定する（ステップＳ１１６）。
【００７１】
図１３は，具体的な例を説明する図（３）である。続けて，プロジェクトチームのメンバーＢさんがプロフィール情報の登録を行う。代表者Ａさんからグループ識別ＩＤ“ｘｘｘｘｘｘ”を教えてもらったメンバーＢさんが，自分の携帯端末１００Ｂのメニューからプロフィール情報同期機能を選択すると，携帯端末１００Ｂは，プロフィール情報同期機能を起動する（ステップＳ１２１）。
【００７２】
さらに，メンバーＢさんが携帯端末１００Ｂでプロフィール情報同期機能のメニューからプロフィール情報登録を選択し，グループ識別ＩＤ“ｘｘｘｘｘｘ”を入力すると，携帯端末１００Ｂはその入力を受け付け（ステップＳ１２２），あらかじめ保持されたメンバーＢさんのプロフィール情報に入力されたグループ識別ＩＤ“ｘｘｘｘｘｘ”を付加したプロフィール情報登録通知を，プロフィール情報同期サーバ２００に送信する（ステップＳ１２３）。
【００７３】
プロフィール情報同期サーバ２００は，受信されたプロフィール情報登録通知のグループ識別ＩＤ“ｘｘｘｘｘｘ”で特定されたプロフィール情報格納部２１０のプロフィール情報格納領域２２０に，受信されたプロフィール情報登録通知のプロフィール情報を格納する（ステップＳ１２４）。携帯端末１００Ｂに，プロフィール情報登録完了通知を送信する（ステップＳ１２５）。
【００７４】
携帯端末１００Ｂは，プロフィール情報登録完了通知を受信すると，プロフィール情報同期サーバ２００へのプロフィール情報の登録が完了した旨を画面に表示する（ステップＳ１２６）。その後，プロフィール情報同期待ちタイマを設定する（ステップＳ１２７）。
【００７５】
図１４は，具体的な例を説明する図（４）である。この時点で，携帯端末１００Ａのプロフィール情報同期待ちタイマがタイムアウトとなる。プロフィール情報同期待ちタイマのタイムアウトが検出されると（ステップＳ１３１），携帯端末１００Ａは，グループ識別ＩＤ“ｘｘｘｘｘｘ”を付したプロフィール情報登録数参照要求を，プロフィール情報同期サーバ２００に送信する（ステップＳ１３２）。
【００７６】
プロフィール情報同期サーバ２００は，受信されたプロフィール情報登録数参照要求のグループ識別ＩＤ“ｘｘｘｘｘｘ”で特定されたプロフィール情報格納部２１０のプロフィール情報格納領域２２０から，プロフィール情報登録数を読み出し，そのプロフィール情報登録数を携帯端末１００Ａに通知する（ステップＳ１３３）。この時点では，２つのプロフィール情報が登録されているので，プロフィール情報登録数として，２が通知される。
【００７７】
プロフィール情報登録数通知を受信すると，携帯端末１００Ａは，プロフィール情報登録数と，自らに記録された該当グループ識別ＩＤのプロフィール情報の数との差分を算出し（ステップＳ１３４），その差分値とグループ識別ＩＤ“ｘｘｘｘｘｘ”とを付したプロフィール情報取得要求を，プロフィール情報同期サーバ２００に送信する（ステップＳ１３５）。ここでは，まだ１つもプロフィール情報が取得されていないので，プロフィール情報記録数は０であり，差分値は２となる。
【００７８】
プロフィール情報同期サーバ２００は，プロフィール情報取得要求の差分値が２であるので，グループ識別ＩＤ“ｘｘｘｘｘｘ”で特定されたプロフィール情報格納部２１０のプロフィール情報格納領域２２０から，新しいものから順に２つのプロフィール情報を取得し，抽出された２つのプロフィール情報を携帯端末１００Ａに送信する（ステップＳ１３６）。ここでは，すでに登録された代表者ＡとメンバーＢのプロフィール情報が携帯端末１００Ａに送信される。
【００７９】
携帯端末１００Ａは，受信された２つのプロフィール情報をプロフィール情報記録部１１４に記録する（ステップＳ１３７）。再び，プロフィール情報同期待ちタイマを設定し（ステップＳ１３８），次のプロフィール情報同期待ちタイマのタイムアウトまで待機する。
【００８０】
ここで，携帯端末１００Ｂのプロフィール情報同期待ちタイマが，タイムアウトとなる（ステップＳ１３９）。以下，携帯端末１００Ａと同様に，プロフィール情報同期サーバ２００に登録されたプロフィール情報を取得することができる。他のメンバーも，グループ識別ＩＤ“ｘｘｘｘｘｘ”を用いて同様に携帯端末１００でプロフィール情報をプロフィール情報同期サーバ２００に登録することができ（図示省略），プロフィール情報サーバ２００に登録されたプロフィール情報は，グループ識別ＩＤ“ｘｘｘｘｘｘ”を用いたすべての携帯端末１００で取得される。
【００８１】
以上，本発明の実施の形態について説明したが，本発明はこれらの実施の形態に限られるものではない。例えば，本実施の形態では，携帯端末１００がプロフィール情報同期サーバ２００にアクセスする場合にはグループ識別ＩＤのみを用いているが，併せてパスワードなどを用いるようにしてもよい。これにより，なりすましなどの不正アクセスを防ぐことができるようになる。
【００８２】
また，例えば，携帯端末１００からのプロフィール情報同期サーバ２００へのアクセスは，プロフィール情報同期サーバ２００のＷｅｂサイトへのアクセスでもよい。携帯端末１００でプロフィール情報同期サーバ２００のＷｅｂサイトにアクセスし，その画面でグループ識別ＩＤや，プロフィール情報を入力し，プロフィール情報同期サーバ２００に送ることもできる。
【図面の簡単な説明】
【００８３】
【図１】本発明の概念を説明する図である。
【図２】本発明の実施の形態によるプロフィール情報同期システムの構成例を示す図である。
【図３】プロフィール情報記録部の例を説明する図である。
【図４】プロフィール情報管理テーブルおよびプロフィール情報格納部の例を説明する図である。
【図５】携帯端末によるグループ登録処理フローチャートである。
【図６】プロフィール情報同期サーバによるグループ定義処理フローチャートである。
【図７】携帯端末によるプロフィール情報登録処理フローチャートである。
【図８】プロフィール情報同期サーバによるプロフィール情報格納処理フローチャートである。
【図９】携帯端末によるプロフィール情報取得処理フローチャートである。
【図１０】プロフィール情報同期サーバによるプロフィール情報同期処理フローチャートである。
【図１１】具体的な例を説明する図（１）である。
【図１２】具体的な例を説明する図（２）である。
【図１３】具体的な例を説明する図（３）である。
【図１４】具体的な例を説明する図（４）である。
【符号の説明】
【００８４】
１００  携帯端末
１１０  プロフィール情報同期機能
１１１  グループ登録処理部
１１２  プロフィール情報登録処理部
１１３  プロフィール情報取得処理部
１１４  プロフィール情報記録部
２００  プロフィール情報同期サーバ
２０１  グループ定義処理部
２０２  プロフィール情報格納処理部
２０３  プロフィール情報同期処理部
２０４  プロフィール情報管理テーブル
２１０  プロフィール情報格納部
３００  通信網
【図１】
2008234093.tif 000003
【図２】
2008234093.tif 000004
【図３】
2008234093.tif 000005
【図４】
2008234093.tif 000006
【図５】
2008234093.tif 000007
【図６】
2008234093.tif 000008
【図７】
2008234093.tif 000009
【図８】
2008234093.tif 000010
【図９】
2008234093.tif 000011
【図１０】
2008234093.tif 000012
【図１１】
2008234093.tif 000013
【図１２】
2008234093.tif 000014
【図１３】
2008234093.tif 000015
【図１４】
2008234093.tif 000016